(57)【特許請求の範囲】
【請求項１】
開閉部を有する主回路を流れる漏電を検出する漏電検出手段と、前記漏電検出手段の検出信号に基づいて作動される漏電警報出力リレーと、この漏電警報出力リレーの作動によって付勢される漏電警報表示装置と、リセット信号の印加により前記漏電警報出力リレーを非作動状態に復帰させるリセットスイッチと、記憶装置に保存されている漏電動作履歴を表示する漏電動作履歴表示装置を備え、前記漏電警報出力リレーの作動状態における前記漏電警報出力リレーへの前記リセット信号の印加に応じて前記漏電動作履歴表示装置を付勢することを特徴とする漏電警報付配線用遮断器。
【請求項２】
前記リセットスイッチの信号を遅延させるディレイタイマを備え、前記リセットスイッチの作動時に前記漏電警報出力リレーの復帰操作と、前記漏電動作履歴表示装置の付勢を行い、前記リセットスイッチの作動継続による前記ディレイタイマからの時間遅れを持たせた信号があったときに前記漏電動作履歴表示装置を消勢させることを特徴とする請求項１に記載の漏電警報付配線用遮断器。
【発明の詳細な説明】
【技術分野】
【０００１】
この発明は、配電系統等の交流電路に流れる漏電電流を検出して警報を出力する機能を備えた漏電警報付配線用遮断器に関するものである。
【背景技術】
【０００２】
当業者において周知のように、漏電警報付配線用遮断器は、交流電路に接続される主回路と、この主回路を開閉する開閉機構を有する開閉部と、主回路に流れる漏電電流を検出する漏電検出回路と、漏電検出回路が漏電電流を検出した時に漏電警報表示装置などの外部装置に漏電警報を出力する警報出力リレーを備えている。前記のような漏電警報付配線用遮断器において、漏電が発生して警報出力リレーが動作した場合、以後の漏電発生時に原因を調査する際などに発生電路の特定を容易にするために、漏電警報出力リレーをＯＦＦさせるリセットスイッチを操作しても、漏電動作した履歴が残るようにしたものが提案されている。例えば、操作表示パネルで行われた釦操作の内容を判定する釦操作判定部と、この釦操作判定部の判定結果が事故履歴の表示指定であるとき、事故履歴記録領域から該表示指定の事故履歴に関わる故障表示ランプの表示情報を含むリレー内部情報を取得する表示情報取得部と、この表示情報取得部が取得した前記故障表示ランプの表示情報を含むリレー内部情報を前記操作表示パネルが備える故障表示ランプと表示器とに表示する制御を行う表示制御部とを備えるようにした電力用保護リレー装置がある（例えば特許文献１参照）。
【先行技術文献】
【特許文献】
【０００３】
【特許文献１】特開２０１０−２８９３１号公報（第１頁、図１）
【発明の概要】
【発明が解決しようとする課題】
【０００４】
上記のような従来の技術では、事故履歴を選択表示する際に事故発生当時の故障表示ランプの表示情報を含めたリレー内部情報も表示するので、事故発生当時のリレー状態を事故発生時そのままの状態で再現して表示することができるという効果が得られるものの、構成が複雑で、回路規模や回路の消費電流が増加し、回路スペースやコストなども増加するという課題があった。
【０００５】
この発明は上記のような従来技術の課題を解消するためになされたものであり、簡素な構成で漏電警報履歴を表示することができ、しかも制御回路の最大消費電流の増加が抑えられ、電源回路の回路規模増加によるスペース及びコストの増加を抑えられる漏電警報付配線用遮断器を得ることを目的としている。
【課題を解決するための手段】
【０００６】
この発明に係る漏電警報付配線用遮断器は、開閉部を有する主回路を流れる漏電を検出する漏電検出手段と、前記漏電検出手段の検出信号に基づいて作動される漏電警報出力リレーと、この漏電警報出力リレーの作動によって付勢される漏電警報表示装置と、リセット信号の印加により前記漏電警報出力リレーを非作動状態に復帰させるリセットスイッチと、記憶装置に保存されている漏電動作履歴を表示する漏電動作履歴表示装置を備え、前記漏電警報出力リレーの作動状態における前記漏電警報出力リレーへの前記リセット信号の印加に応じて前記漏電動作履歴表示装置を付勢するようにしたものである。
【発明の効果】
【０００７】
この発明の漏電警報付配線用遮断器によれば、漏電警報出力リレーの作動状態における漏電警報出力リレーへのリセット信号の印加に応じて漏電動作履歴表示装置を付勢するようにしたことで、漏電警報出力リレー及び漏電警報表示装置と漏電動作履歴表示装置とが同時に付勢されないように構成できるため、制御回路の最大消費電流の増加が抑えられ、電源回路の回路規模増加によるスペース及びコストの増加を抑えられる。
【図面の簡単な説明】
【０００８】
【図１】この発明の実施の形態１による漏電警報付配線用遮断器の要部構成を示す回路図である。
【図２】この発明の参考例としての漏電警報付配線用遮断器の要部構成を示す回路図である。
【発明を実施するための形態】
【０００９】
実施の形態１．
図１はこの発明の実施の形態１による漏電警報付配線用遮断器の要部構成を示す回路図である。図２はこの発明の参考例としての漏電警報付配線用遮断器の要部構成を示す回路図である。図１において、漏電警報付配線用遮断器１は、電源側接続端子２と負荷側接続端子３とを接続する主回路４と、この主回路４を開閉する開閉部５と、主回路４の全相の導体が貫通され、主回路４に流れる漏電または地絡事故電流（以下、単に、漏電電流と称する）を検出して二次巻線６１ａから検出電流を出力する零相変流器６１と、この零相変流器６１の二次巻線６１ａの検出電流を監視して漏電又は地絡（以下、単に、漏電と称する）の有無を判定する漏電検出回路６２と、漏電発生時に漏電検出回路６２の出力信号によりＯＮ動作するサイリスタＳＣＲ１と、サイリスタＳＣＲ１がＯＮすることで動作し零相変流器６１の二次巻線６１ａの出力電流に基づいて外部装置に漏電警報を出力する漏電警報出力リレー７と、漏電警報表示装置であるＬＥＤ１（以下、漏電警報表示ＬＥＤ１という）と、これらをＯＦＦさせるためのトランジスタＴＲ１と、主回路４に印加された交流電圧を整流する整流回路を備え、前記整流回路から供給される直流電圧を所定の電圧まで降圧し前記漏電検出回路６２と前記漏電警報出力リレー７と漏電動作履歴表示装置であるＬＥＤ２（以下、漏電動作履歴表示ＬＥＤ２という）を含む内部回路に安定した電気エネルギーを供給する制御電源回路８と、リセットスイッチ９を備えている。
【００１０】
また、リセットスイッチ９をＯＮすることでトランジスタＴＲ１をＯＦＦさせるトランジスタＴＲ２と、リセットスイッチ９のＯＮ信号と漏電警報出力リレー７を含む回路の動作信号とのＡＮＤ信号を出力するＡＮＤ回路１０と、ＡＮＤ回路１０の出力によりＯＮ動作するサイリスタＳＣＲ２と、サイリスタＳＣＲ２がＯＮすることで動作する漏電動作履歴表示ＬＥＤ２と、これらを含む漏電動作履歴表示回路をＯＦＦさせるためのトランジスタＴＲ３と、トランジスタＴＲ３をＯＦＦさせるトランジスタＴＲ４と、リセットスイッチ９のＯＮ操作が所定時間継続されたときにトランジスタＴＲ４に時間遅れ信号を出力するＯＮディレイタイマ１１を備えている。なお、前記零相変流器６１と、漏電検出回路６２によって漏電検出手段６が構成されている。また、本書に於いて、「漏電」とは地絡を含み、「漏電電流」とは地絡電流を含むものである。開閉部５を動作させる駆動機構などその他の構成は従来のものと同様であるので図示及び説明を省略する。
ここで、漏電動作履歴表示装置としての漏電動作履歴表示ＬＥＤ２は、サイリスタＳＣＲ２の導通によるＯＮ動作によって付勢されて点灯し、漏電警報付配線用遮断器１が備える記憶装置（図示せず）内に特定した漏電動作履歴記憶領域に漏電警報出力動作のつど保存される漏電事象記録を蓄積して生成された漏電動作履歴の表示を行うものである。漏電警報出力ごとに作成される前記漏電事象記録は漏電発生時刻、漏電要因、漏電警報表示装置としての漏電警報表示ＬＥＤ１の表示情報などを含み、順次作成された複数の漏電事象記録が時系列に蓄積保存されて漏電動作履歴として前記記憶装置に記憶される。
【００１１】
上記のように構成されたこの発明の実施の形態１に係る漏電警報付配線用遮断器１は、電源側接続端子２と負荷側接続端子３とにより、漏電を検出すべき三相交流電路（図示せず）に接続される。漏電を検出すべき交流電路に漏電が発生して主回路４に漏電電流が流れると、零相変流器６１の二次巻線６１ａから検出電流が出力されて漏電検出回路６２に入力される。漏電検出回路６２は入力された検出電流に基づいて漏電の発生を検出し、サイリスタＳＣＲ１をＯＮして制御電源回路８により降圧された制御電源を漏電警報表示ＬＥＤ１と自己バイアスされたトランジスタＴＲ１と漏電警報出力リレー７に供給して出力を自己保持させる。
【００１２】
次に、漏電警報出力リレー７をリセット、即ち復帰させる動作について説明する。漏電警報出力リレー回路のリセットは、リセットスイッチ９をＯＮすることで、トランジスタＴＲ２がＯＮし、トランジスタＴＲ２のＯＮによりトランジスタＴＲ１のバイアス回路がＯＦＦとなることで、トランジスタＴＲ１がＯＦＦとなり、合わせて漏電が無く漏電検出回路６２の出力がＯＦＦ状態の場合、サイリスタＳＣＲ１もＯＦＦとなり、漏電警報出力リレー７を含む回路がＯＦＦとなる。
【００１３】
次に、漏電動作履歴表示の動作について説明する。上記漏電警報出力リレー７の回路の動作信号がＡＮＤ回路１０に入力されている状態で、リセットスイッチ９をＯＮすることで、ＡＮＤ回路１０が出力し、サイリスタＳＣＲ２がＯＮして、制御電源回路８により降圧された制御電源を漏電動作履歴表示ＬＥＤ２と自己バイアスされたトランジスタＴＲ３に供給して自己保持させることで、漏電動作履歴表示ＬＥＤ２が継続して点灯する。
前記ＡＮＤ回路１０は、漏電警報出力動作も無く漏電動作履歴表示動作も無い定常状態でリセットスイッチ９がＯＮされた場合に、漏電動作履歴表示ＬＥＤ２が不必要に動作することを防ぐものである。
【００１４】
次に、漏電動作履歴表示をリセットさせる動作について説明する。漏電動作履歴表示のリセットは、リセットスイッチ９をＯＮし続けることで、時間遅れをもってＯＮディレイタイマ１１が出力してトランジスタＴＲ４をＯＮし、トランジスタＴＲ４のＯＮによりトランジスタＴＲ３のバイアス回路がＯＦＦとなることで、トランジスタＴＲ３がＯＦＦとなり、合わせて、ＡＮＤ回路１０に対する上記漏電警報出力リレー７を含む回路の動作信号はリセットスイッチ９をＯＮした時点で上記によりＯＮディレイタイマ１１が出力するより先にＯＦＦとなり、漏電警報出力リレー回路の動作信号がＯＦＦすることでＡＮＤ回路１０もＯＦＦ状態であるため、サイリスタＳＣＲ２もＯＦＦとなり、漏電動作履歴表示ＬＥＤ２がＯＦＦとなる。
【００１５】
上記のように実施の形態１は、漏電電流検出レベルが所定値以上のとき地絡信号を出力する漏電検出回路からの地絡発生信号に基づいて漏電警報出力する漏電警報出力リレー７及び漏電警報表示ＬＥＤ１の動作信号とリセットスイッチ９のＯＮ操作信号のＡＮＤ回路出力により、漏電動作履歴表示ＬＥＤ２を点灯開始させることで、漏電警報出力リレー７及び漏電警報表示ＬＥＤ１をＯＦＦさせると同時に、漏電動作履歴表示ＬＥＤ２を点灯させる構成としたものである。
また、ＡＮＤ回路１０は、漏電警報出力リレー７及び漏電警報表示ＬＥＤ１の動作信号を漏電動作履歴表示ＬＥＤ２の動作条件とすることで、定常時にリセットスイッチ９を押すことによる漏電動作履歴表示ＬＥＤ２の誤点灯を防止している。
また、漏電動作履歴表示ＬＥＤ２をＯＦＦさせるトランジスタＴＲ４へのリセットスイッチ９のＯＮ信号は、ＯＮディレイタイマ１１を介して時間差を設け、リセットスイッチ９を長く押し続けることで、漏電動作履歴表示ＬＥＤ２がＯＦＦするように構成し、漏電警報出力リレー７及び漏電警報表示ＬＥＤ１のＯＦＦ操作と漏電動作履歴表示ＬＥＤ２のＯＮとＯＦＦ操作のスイッチを兼ねるように構成したものである。
【００１６】
上記実施の形態１に対して、図２に示す参考例は、漏電検出回路６２の出力により、漏電警報出力リレー７と漏電警報表示ＬＥＤ１を含む漏電警報出力リレー回路と、漏電動作履歴表示ＬＥＤ２を含む漏電動作履歴表示回路を並列に作動させ、リセットスイッチ９のＯＮ操作により、リセット用のトランジスタＴＲ１のＯＦＦ及びＯＮディレイタイマ１１により時間遅れを持たせてリセット用のトランジスタＴＲ３をＯＦＦさせることにより、リセット操作を２段階に構成することで、漏電警報出力リレー７及び漏電警報表示ＬＥＤ１と、漏電動作履歴表示ＬＥＤ２のＯＦＦを１つのリセットスイッチ９で共用させるように構成されている。このように、漏電警報表示ＬＥＤ１と漏電動作履歴表示ＬＥＤ２を並列に表示させる構成とした場合は、構成が簡素のようではあるものの、回路の消費電流が増加し、漏電警報付配線用遮断器の制御電源回路８の回路規模が増加し、回路スペース及びコストが増加する問題があり、実施の形態１のような効果は得られない。
【００１７】
以上のように、この発明の実施の形態１に係る漏電警報付配線用遮断器によれば、開閉部５を有する主回路４を流れる漏電を検出する漏電検出回路６２からなる漏電検出手段と、前記漏電検出手段の検出信号に基づいて作動される漏電警報出力リレー７と、この漏電警報出力リレー７の作動によってＯＮ状態とされ付勢される漏電警報表示ＬＥＤ１からなる漏電警報表示装置と、リセット信号の印加により前記漏電警報出力リレー７を非作動状態に復帰させるリセットスイッチ９と、記憶装置に保存されている漏電動作履歴を表示する漏電動作履歴表示ＬＥＤ２からなる漏電動作履歴表示装置を備え、リセットスイッチ９のリセット信号と漏電警報出力リレー７の動作信号とのＡＮＤ回路１０の出力により漏電動作履歴表示ＬＥＤ２からなる漏電履歴表示装置をＯＮ状態として付勢し点灯して表示動作を行わせることにより、前記漏電警報出力リレー７の作動状態における前記漏電警報出力リレー７への前記リセット信号の印加に応じて前記漏電動作履歴表示装置を付勢するようにして、漏電警報出力リレー７及び漏電警報表示ＬＥＤ１のリセットと漏電動作履歴表示ＬＥＤ２のＯＮ動作を関連付けて合わせ行うようにしたことで、漏電警報出力リレー回路と漏電動作履歴表示回路が同時に付勢され両方ＯＮ状態となることがないため、図２の参考例のように、追加された漏電動作履歴表示回路の消費電流が漏電警報出力リレー回路の消費電流に合算されることはなく、最大消費電流を増加させずに漏電動作履歴表示の機能を追加することが可能となる。
また、漏電警報出力リレー７及び漏電警報表示ＬＥＤ１のリセット操作と漏電動作履歴表示ＬＥＤ２のＯＮ操作とリセット操作を１つのリセットスイッチ９で構成することで、漏電警報付配線用遮断器に漏電動作履歴表示の機能を、操作性がよく小形・簡素で安価に追加することが可能となる。
【００１８】
また、リセットスイッチ９のＯＮ操作により、漏電警報出力リレー７及び漏電警報表示ＬＥＤ１のＯＦＦ操作と漏電動作履歴表示ＬＥＤ２のＯＮ操作を兼ね、漏電警報出力リレー動作及び漏電警報表示ＬＥＤ１と漏電動作履歴表示ＬＥＤ２が同時にＯＮしない構成としているため、制御回路の最大消費電流の増加が抑えられ、電源回路の回路規模増加によるスペース及びコストの増加を抑えられる。
また、漏電警報出力リレー７の動作及び漏電警報表示ＬＥＤ１のＯＦＦ操作と、漏電動作履歴表示ＬＥＤ２のＯＮ操作及びＯＦＦ操作用のスイッチを１つのリセットスイッチ９で構成したことで、制御回路スペース及びコスト増加が抑制できる。
また、上記リセットスイッチ９の構成により、スイッチの誤操作防止が期待できる。
【００１９】
なお、図１に例示した回路図を含む実施の形態は、この発明の範囲内で適宜変更や変形ができることは言うまでもない。
【符号の説明】
【００２０】
１  漏電警報付配線用遮断器、２  電源側接続端子、３  負荷側接続端子、４  主回路、５  開閉部、６  漏電検出手段、６１  零相変流器、６１ａ  二次巻線、６２  漏電検出回路、７  漏電警報出力リレー、８  制御電源回路、９  リセットスイッチ、１０  ＡＮＤ回路、１１  ＯＮディレイタイマ、ＬＥＤ１  漏電警報表示装置、ＬＥＤ２  漏電動作履歴表示装置、ＴＲ１  トランジスタ、ＴＲ２  トランジスタ、ＴＲ３  トランジスタ、ＴＲ４  トランジスタ、ＳＣＲ１  サイリスタ、ＳＣＲ２  サイリスタ。
【図１】
0006049567.tif 000002
【図２】
0006049567.tif 000003